(57)【要約】【課題】光の付与により導電性が発現する透明管状体を提供すること。【解決手段】π電子を持つ電子受容性の透明樹脂と、光の付与により前記透明樹脂との間で光誘起電荷移動が生じる電子供与性の物質と、を含む透明樹脂層を有する透明管状体（例えば、第１回転体５２）である。【選択図】図２
2014222326.tif 000002
【特許請求の範囲】
【請求項１】
π電子を持つ電子受容性の透明樹脂と、光の付与により前記透明樹脂との間で光誘起電荷移動が生じる電子供与性の物質と、を含む透明樹脂層を有する透明管状体。
【請求項２】
表面にトナー像が転写される第１回転体であって、請求項１に記載の透明管状体からなる第１回転体と、
前記第１回転体の表面に接触して設けられた第２回転体と、
前記第１回転体の内側に設けられ、前記第１回転体の表面に転写された前記トナー像及び前記第１回転体に対して、前記トナー像の吸収波長域及び前記電子供与性の物質の吸収波長域を含む波長域を有する光を照射する光照射装置と、
を備え、
前記光照射装置からの光の照射により前記トナー像を加熱し、且つ前記第１回転体と前記第２回転体との接触部で前記トナー像を記録媒体に加圧して、前記トナー像を前記記録媒体に転写すると共に定着する転写定着装置。
【請求項３】
表面にトナー像が転写される第１回転体であって、請求項１に記載の透明管状体からなる第１回転体と、
前記第１回転体の表面に接触して設けられた第２回転体と、
前記第１回転体の内側に設けられ、前記第１回転体の表面に転写された前記トナー像に対して、前記トナー像の吸収波長域を含む波長域を有する光を照射する第１光照射装置と、
前記第１回転体の内側に設けられ、前記第１回転体に対して、前記電子供与性の物質の吸収波長域を含む波長域を有する光を照射する第２光照射装置と、
を備え、
前記第１光照射装置からの光の照射により前記トナー像を加熱し、且つ前記第１回転体と前記第２回転体との接触部で前記トナー像を記録媒体に加圧して、前記トナー像を前記記録媒体に転写すると共に定着する転写定着装置。
【請求項４】
像保持体と、
前記像保持体の表面を帯電する帯電装置と、
帯電した前記像保持体の表面に潜像を形成する潜像形成装置と、
前記像保持体の表面の潜像をトナーにより現像してトナー像を形成する現像装置と、
前記トナー像を記録媒体に転写すると共に定着する転写定着装置であって、請求項２又は３に記載の転写定着装置と、
前記転写定着装置の前記第１回転体の表面に前記トナー像を転写する転写装置と、
を備える画像形成装置。
【発明の詳細な説明】
【技術分野】
【０００１】
本発明は、透明管状体、転写定着装置及び画像形成装置に関する。
【背景技術】
【０００２】
従来、管状体を使用して、トナー像を記録媒体に転写したり、定着したりする画像形成装置が知られている。
例えば、特許文献１には、電子写真像を発現させ、トナー像を現像するためにトナー荷電粒子を前記電子写真像に与え、前記トナー像を印刷媒体に転写し、前記トナーを加熱し、軟化トナーを得るために、前記トナー像をレーザエネルギで走査し、前記トナーを前記印刷媒体に固定するために、前記印刷媒体に向けて前記軟化トナーを加圧することから成る電子写真印刷方法が提案されている。
特許文献２には、ポリイミド樹脂１００重量部に対し、体積抵抗値が１×１０３〜１×１０８Ω・ｃｍである酸化錫を０．１〜３００重量部含有し、体積抵抗値が１×１０６〜１×１０１５Ω・ｃｍの範囲内にある管状体が提案されている。
特許文献３には、内部空間を有すると共にレーザ光が透過可能な素材にて構成される透過部を具備し、この透過部を回転移動させる回転部材と、この回転部材に対向して設けられ、当該回転部材との間に接触加圧域を形成すると共にこの接触加圧域にて記録媒体上の熱可塑性の作像材料による画像を加圧しながら前記回転部材との間で記録媒体を移動搬送する対向部材と、前記回転部材の内部空間に設けられ、記録媒体の搬送路のうち当該記録媒体上の熱可塑性の作像材料による画像が前記接触加圧域に至る前の予め規定されたレーザ光照射位置にて記録媒体上の熱可塑性の作像材料による画像に前記回転部材の透過部を介してレーザ光を照射するレーザ光照射手段と、を備える定着装置が提案されている。
【先行技術文献】
【特許文献】
【０００３】
【特許文献１】特開平０７−１６８４６９号公報
【特許文献２】特開２００３−２１３１３１号公報
【特許文献３】特開２０１１−１２８２２３号公報
【発明の概要】
【発明が解決しようとする課題】
【０００４】
本発明の課題は、光の付与により導電性が発現する透明管状体を提供することである。
【課題を解決するための手段】
【０００５】
上記課題は、以下の手段により解決される。即ち、
請求項１に係る発明は、
π電子を持つ電子受容性の透明樹脂と、光の付与により前記透明樹脂との間で光誘起電荷移動が生じる電子供与性の物質と、を含む透明樹脂層を有する透明管状体。
【０００６】
請求項２に係る発明は、
表面にトナー像が転写される第１回転体であって、請求項１に記載の透明管状体からなる第１回転体と、
前記第１回転体の表面に接触して設けられた第２回転体と、
前記第１回転体の内側に設けられ、前記第１回転体の表面に転写された前記トナー像及び前記第１回転体に対して、前記トナー像の吸収波長域及び前記電子供与性の物質の吸収波長域を含む波長域を有する光を照射する光照射装置と、
を備え、
前記光照射装置からの光の照射により前記トナー像を加熱し、且つ前記第１回転体と前記第２回転体との接触部で前記トナー像を記録媒体に加圧して、前記トナー像を前記記録媒体に転写すると共に定着する転写定着装置。
【０００７】
請求項３に係る発明は、
表面にトナー像が転写される第１回転体であって、請求項１に記載の透明管状体からなる第１回転体と、
前記第１回転体の表面に接触して設けられた第２回転体と、
前記第１回転体の内側に設けられ、前記第１回転体の表面に転写された前記トナー像に対して、前記トナー像の吸収波長域を含む波長域を有する光を照射する第１光照射装置と、
前記第１回転体の内側に設けられ、前記第１回転体に対して、前記電子供与性の物質の吸収波長域を含む波長域を有する光を照射する第２光照射装置と、
を備え、
前記第１光照射装置からの光の照射により前記トナー像を加熱し、且つ前記第１回転体と前記第２回転体との接触部で前記トナー像を記録媒体に加圧して、前記トナー像を前記記録媒体に転写すると共に定着する転写定着装置。
【０００８】
請求項４に係る発明は、
像保持体と、
前記像保持体の表面を帯電する帯電装置と、
帯電した前記像保持体の表面に潜像を形成する潜像形成装置と、
前記像保持体の表面の潜像をトナーにより現像してトナー像を形成する現像装置と、
前記トナー像を記録媒体に転写すると共に定着する転写定着装置であって、請求項２又は３に記載の転写定着装置と、
前記転写定着装置の前記第１回転体の表面に前記トナー像を転写する転写装置と、
を備える画像形成装置。
【発明の効果】
【０００９】
請求項１に係る発明によれば、光の付与により導電性が発現する透明管状体が提供される。
請求項２、３に係る発明によれば、画像乱れが抑制した画像が得られる転写定着装置が提供される。
請求項４に係る発明によれば、画像乱れが抑制された画像が得られる画像形成装置が提供される。
【図面の簡単な説明】
【００１０】
【図１】本実施形態に係る透明管状体を示す概略斜視図である。
【図２】本実施形態に係る画像形成装置を示す概略構成図である。
【図３】他の本実施形態に係る画像形成装置を示す概略構成図である。
【発明を実施するための形態】
【００１１】
以下、本発明の一例である実施形態について図面を参照しつつ詳細に説明する。
【００１２】
（透明管状体）
図１は、本実施形態に係る透明管状体を示す概略斜視図である。
【００１３】
本実施形態に係る透明管状体１１は、図１に示すように、例えば、は中空ロール状に形成され、例えば、透明樹脂層の単層体で構成されている。なお、透明管状体１１は、ベルト状であってもよい。
そして、透明樹脂層は、π電子を持つ電子受容性の透明樹脂（以下「電子受容性樹脂」と称する）と、光の付与により透明樹脂との間で光誘起電荷移動が生じる電子供与性の物質（以下「電子供与性物質」と称する）と、を含んで構成されている。なお、透明樹脂層には、必要に応じて、他の添加剤を含んで構成されていてもよい。
【００１４】
本実施形態に係る透明管状体１１に光が照射されると、電子供与性物質は、光を吸収して電子を生成する。この生成した電子が電子受容性樹脂に受容されることで、光誘起電荷移動が生じ、導電性が発現する。
このため、本実施形態に係る透明管状体１１では、光の付与により導電性が発現する。      
【００１５】
本実施形態に係る透明管状体１１は、光の付与により導電性が発現することから、例えば、帯電しても除電され、摩擦帯電の発生等が抑制される。また、本実施形態に係る透明管状体１１は、透明性を阻害する導電剤（例えば、カーボンブラック等）を配合することなく、導電性が発現する。
【００１６】
このため、本実施形態に係る透明管状体１１は、例えば、後述する転写定着装置（及びそれを備える画像形成装置）に適用すると、透明管状体１１が帯電することにより生じる画像乱れが抑制された画像が得られる。
【００１７】
ここで、本明細書において、透明とは、赤外域から紫外域にかけての光の透過率が６０％以上（望ましくは８０％）以上であることを示す。
【００１８】
以下、本実施形態に係る透明管状体１１を構成する透明樹脂層について説明する。
透明樹脂層は、電子受容性樹脂と、電子供与性物質と、を含んで構成されている。
なお、透明樹脂層には、必要に応じて、他の添加剤を含んで構成されていてもよい。
【００１９】
−電子受容性樹脂−
電子受容性樹脂は、π電子を持つ透明樹脂（π共役系高分子）である。また、電子受容性樹脂は、耐熱性透明樹脂であることがよい。このため、電子受容性樹脂は、芳香環（例えば、ベンゼン、ナフタレン、ビフェニル等）を持つ透明樹脂であることがよい。
【００２０】
電子受容性樹脂としては、例えば、スチレン類（例えばスチレン、パラクロロスチレン、α−メチルスチレン、スチレンスルホン酸等）、ビニルナフタレン類（例えばビニルナフタレン、ヒドロキシビニルナフタレン等）、フェノキシアルキレングリコール（メタ）アクリル酸（例えばフェノキシエチレングリコール（メタ）アクリル酸、フェノキシオクタエチレングリコール（メタ）アクリル酸等）等の単量体の単独重合体、又はこれら単量体を２種以上組み合せた共重合体からなるビニル系樹脂が挙げられる。
【００２１】
これらビニル系樹脂は、他のビニル系単量体を組み合わせた共重合体であってもよい。これら他のビニル系単量体としては、（メタ）アクリル酸エステル類（例えばアクリル酸メチル、アクリル酸エチル、アクリル酸ｎ−プロピル、アクリル酸ｎ−ブチル、アクリル酸ラウリル、アクリル酸２−エチルヘキシル、メタクリル酸メチル、メタクリル酸エチル、メタクリル酸ｎ−プロピル、メタクリル酸ラウリル、メタクリル酸２−エチルヘキシル等）、エチレン性不飽和ニトリル類（例えばアクリロニトリル、メタクリロニトリル等）、ビニルエーテル類（例えばビニルメチルエーテル、ビニルイソブチルエーテル等）、ビニルケトン類（ビニルメチルケトン、ビニルエチルケトン、ビニルイソプロペニルケトン等）、オレフィン類（例えばエチレン、プロピレン、ブタジエン等）等が挙げられる。
なお、（メタ）アクリル酸とは、アクリル酸又はメタクリル酸を意味する。
【００２２】
電子受容性樹脂としては、例えば、ポリカーボネート樹脂（ＰＣ）、ポリアリレート樹脂（ＰＡＲ）、ポリエーテルイミド樹脂（ＰＥＩ）、ポリ猿フォン樹脂（ＰＳＦ）等の芳香族系の樹脂も挙げられる。
【００２３】
これらの中でも、透明性、機械特性の観点から、電子受容性樹脂としては、ポリカーボネート樹脂（ＰＣ）、ポリアリレート樹脂（ＰＡＲ）、ポリエーテルイミド樹脂（ＰＥＩ）が好適である。
【００２４】
なお、電子受容性樹脂と共に、他の周知の樹脂（非電子受容性樹脂）を併用してもよい。但し、この場合、電子受容性樹脂の含有量は、全樹脂に対して、７０質量％以上（望ましくは９０質量％）であることがよい。
【００２５】
−電子供与性物質−
電子供与性物質は、光の付与により透明樹脂との間で光誘起電荷移動が生じる電子供与性物質である。つまり、電子供与性物質は、例えば、光を吸収して電子を他の物質（電子受容性樹脂）に移動する物質である。
ここで、例えば、本実施形態に係る透明管状体１１を適用する転写定着装置（及びそれを備える画像形成装置）において、光の照射によりトナー像を加熱するにあたり、トナー像を構成するトナー（そのトナー粒子）に赤外線吸収剤を含有させることがよい。このため、電子供与性物質は、このトナー像を加熱するために使用する光の波長域（赤外域）と重複しない紫外域の光の付与（紫外光の吸収）により、透明樹脂との間で光誘起電荷移動が生じる電子供与性物質であることがよい。
【００２６】
電子供与性物質としては、例えば、ポルフィリン類、アントラキノン類、多環式芳香族化合物、金属キレート化合物等のπ電子系化合物が挙げられる。
【００２７】
ポルフィリン類としては、ポルフィリン骨格を有する化合物が挙げられ、具体的には、例えば、ポルフィリン、テトラフェニルポルフィリン、テトラベンゾポルフィリン、これらの誘導体［例えば、テトラキスペンタフルオロフェニルポルフィリン、金属テトラベンゾポルフィリン（例えば亜鉛−テトラベンゾポルフィリン、マグネシウム−テトラベンゾポルフィリン等）］等が挙げられる。
アントラキノン類としては、アントラキノン、アリザリン、プルプロキサンチン、トリヒドロキシアントラキノン、キニザリン、キナリザリン等が挙げられる。
【００２８】
金属キレート化合物としては、例えば、ジメチルグリオキシム、ジチゾン、オキシン、アセチルアセトン、グリシン、エチレンジアミン四酢酸（ＥＤＴＡ）、ニトリロトリ酢酸（ＮＴＡ）等の金属塩（例えば、遷移金属塩）等が挙げられる。
【００２９】
多環式芳香族化合物としては、例えば、ナフタレン、ビフェニレン、フルオレン、フェナントレン、フェナンスレン、アントラセン、トリフェニレン、ピレン等の多環式芳香族炭化水素類が挙げられる。
多環式芳香族化合物は、多環式芳香族炭化水素類にヘテロ原子（例えば窒素原子、イオウ原子、ホウ素原子、リン原子、酸素原子等）が導入された化合物も挙げられる。ヘテロ原子が導入された多環式芳香族炭化水素類としては、例えば、カルバゾール等が挙げられる。
多環式芳香族化合物は、多環式芳香族炭化水素類にハロゲンを置換した化合物も挙げられる。ハロゲンを置換した多環式芳香族炭化水素類としては、例えば、例えば、六フッ化ベンゼン、オクタフルオロナフタレン、デカフルオロフェナンスレン、デカフルオロピレン等と共に、これらに対応する塩化炭化水素類、臭化炭化水素類、ヨウ素化炭化水素類が挙げられる。ハロゲンを置換した多環式芳香族炭化水素類としては、フッ化ピッチも挙げられる。
多環式芳香族化合物は、その他、ヒドロキシル基、アルキル基等の各種置換基が置換された多環式芳香族炭化水素類も挙げられる。
【００３０】
ポリアセン系骨格構造を有する化合物としては、例えば、芳香族炭化水素化合物（例えばフェノール等）とアルデヒド類（例えばホルムアルデヒド等）との縮合物の熱処理物が挙げられる。
【００３１】
これらの中でも、相溶性の観点から、電子供与性物質としては、ポルフィリン類、アントラキノン類、多環式芳香族化合物が好適である。
【００３２】
電子供与性物質の含有量は、電子受容性樹脂に対して１０質量％以上３５質量％以下がよく、望ましくは１５質量％以上３０質量％以下、より望ましくは２０質量％以上２５質量％以下である。
【００３３】
−他の添加剤−
他の添加剤としては、例えば、レベリング剤、分散安定化剤等の周知の添加剤が挙げられる。
【００３４】
−透明樹脂層の特性−
透明樹脂層（透明管状体１１）の厚みは、例えば、２０μｍ以上１０ｍｍ以下がよく、望ましくは６０μｍ以上１ｍｍ以下、より望ましくは８０μｍ以上２００μｍ以下である。
【００３５】
−その他−
なお、以上説明した本実施形態に係る透明管状体１１では、透明樹脂層の単層体で構成された形態を説明したが、当該透明樹脂層を有していれば、２層以上の積層体で構成されていてもよい。
具体的には、例えば、本実施形態に係る透明管状体１１は、透明樹脂層を基層とし、その外周面に当該透明樹脂層と同様の組成に離型材料を配合した表面層を積層した態様であってもよい。
【００３６】
本実施形態に係る透明管状体１１は、例えば、画像形成装置用のベルトやロール、その他光学特性を必要とする部品等に適用され得る。
【００３７】
（画像形成装置／転写定着装置）
本実施形態に係る画像形成装置は、像保持体と、像保持体の表面を帯電する帯電装置と、帯電した像保持体の表面に潜像を形成する潜像形成装置と、像保持体の表面の潜像をトナーにより現像してトナー像を形成する現像装置と、トナー像を記録媒体に転写すると共に定着する転写定着装置と、転写定着装置の第１回転体の表面にトナー像を転写する転写装置と、を備える。
【００３８】
転写定着装置としては、表面にトナー像が転写される第１回転体と、第１回転体の表面に接触して設けられた第２回転体と、第１回転体の内側に設けられ、第１回転体の表面に転写されたトナー像及び第１回転体に対して、トナー像の吸収波長域及び電子供与性物質の吸収波長域を含む波長域を有する光を照射する光照射装置と、を備え、光照射装置からの光の照射によりトナー像を加熱し、且つ第１回転体と第２回転体との接触部でトナー像を記録媒体に加圧して、トナー像を記録媒体に転写すると共に定着する第１転写定着装置（第１実施形態に係る転写定着装置）が挙げられる。
【００３９】
転写定着装置としては、表面にトナー像が転写される第１回転体と、第１回転体の表面に接触して設けられた第２回転体と、第１回転体の内側に設けられ、第１回転体の表面に転写されたトナー像に対して、トナー像の吸収波長域を含む波長域を有する光を照射する第１光照射装置と、第１回転体の内側に設けられ、第１回転体に対して、電子供与性物質の吸収波長域を含む波長域を有する光を照射する第２光照射装置と、を備え、第１光照射装置からの光の照射によりトナー像を加熱し、且つ第１回転体と第２回転体との接触部でトナー像を記録媒体に加圧して、前記トナー像を前記記録媒体に転写すると共に定着する第２転写定着装置（第２実施形態に係る転写定着装置）も挙げられる。
【００４０】
そして、第１転写定着装置、及び第２転写定着装置に備える第１回転体として、上記本実施形態に係る透明管状体が適用される。
【００４１】
ここで、第１転写定着装置は、一つの光照射装置を備え、この光照射装置から照射する光によりトナー像の加熱と共に、第１回転体（透明管状体）の電子供与性物質から電子が生成され、透明管状体に光誘起電荷移動による導電性が発現する。このため、第１転写定着装置では、転写装置からの電圧印加により、像保持体に形成されたトナー像が第１回転体の表面に転写されることに伴い、第１回転体が帯電しても、除電される。また、第１回転体が回転に伴う摩擦により帯電しても、除電される。よって、第１回転体の帯電に起因する画像乱れが抑制される。
【００４２】
一方、第２転写定着装置は、２つの光照射装置を備え、第１光照射装置から照射する光によりトナー像の加熱が行われ、第２光照射装置から照射する光により第１回転体（透明管状体）の電子供与性物質から電子が生成され、透明管状体に光誘起電荷移動による導電性が発現する。このため、第２転写定着装置でも、転写装置からの電圧印加により、像保持体に形成されたトナー像が第１回転体の表面に転写されることに伴い、第１回転体が帯電しても、除電される。また、第１回転体が回転に伴う摩擦により帯電しても、除電される。よって、第１回転体の帯電に起因する画像乱れが抑制される。
【００４３】
なお、光照射装置において、トナー像の吸収波長域とは、トナー像を形成するためのトナー（そのトナー粒子）に含まれる発熱剤（具体的には赤外線吸収剤）が光を吸収して発熱する吸収波長域である。一方、電子供与性物質の吸収波長域とは、電子供与性物質が光を吸収して透明樹脂との間で光誘起電荷移動が誘起する吸収波長である。
【００４４】
以下、本実施形態に係る画像形成装置（転写定着装置）を図面を参照しつつ説明する。
図２は、本実施形態に係る画像形成装置を示す概略構成図である。
【００４５】
本実施形態に係る画像形成装置１０１は、図２に示すように、例えば、矢印Ａ方向に回転する電子写真感光体１０（像保持体の一例）と、電子写真感光体１０の上方に、電子写真感光体１０に相対して設けられ、電子写真感光体１０の表面を帯電する帯電装置２０と、帯電装置２０により帯電した電子写真感光体１０の表面に露光して、静電潜像を形成する露光装置３０（潜像形成装置の一例）と、トナーを含む現像剤を収容し、現像剤により、電子写真感光体１０に形成された静電潜像をトナー像Ｔとして現像する現像装置４０と、電子写真感光体１０の表面に形成されたトナー像Ｔを中空状の転写定着ロール５２（第１回転体の一例）の表面に転写する転写装置５０と、電子写真感光体１０の表面をクリーニングするクリーニング装置６０（クリーニング手段の一例）とを備える。
【００４６】
帯電装置２０、露光装置３０、現像装置４０、転写装置５０、及びクリーニング装置６０は、電子写真感光体１０を囲む円周上に、時計周り方向に設けられている。
【００４７】
一方、電子写真感光体１０と転写装置５０との間に介在して、矢印Ｂ方向に回転する中空状の転写定着ロール５２が設けられている。つまり、転写定着ロール５２の内部に転写装置５０が当該転写定着ロールを介して電子写真感光体１０と対向して設けられている。
【００４８】
転写定着ロール５２の回転方向下流側には、転写定着ロール５２との間で、記録紙Ｐ（記録媒体の一例）を挟持し、転写定着ロール５２に転写されたトナー像Ｔを記録紙Ｐに加圧する加圧ロール５４（第２回転体の一例）が設けられている。
【００４９】
転写定着ロール５２の内側には、転写定着ロール５２の表面に転写されたトナー像の加熱と共に、第１回転体（透明管状体）の導電性を発現するための光を照射する光照射装置５６が設けられている。
【００５０】
なお、転写定着ロール５２、加圧ロール５４及び光照射装置５６を備える装置が、転写定着装置の一例に相当する。
【００５１】
以下、本実施形態に係る画像形成装置１０１における主な構成部材の詳細について説明する。
【００５２】
−電子写真感光体−
電子写真感光体１０としては、例えば、導電性基体上に設けられる感光層が無機材料で構成される無機感光体や、感光層が有機材料で構成される有機感光体などが挙げられる。  有機感光体としては、導電性基体上に、導電性露光により電荷を発生する電荷発生層と、電荷を輸送する電荷輸送層を積層する機能分離型の感光体や、導電性基体上に、電荷を発生する機能と電荷を輸送する機能を同一の層が果たす単層型感光層を設けた感光体が挙げられる。また、無機感光体としては、導電性基体上に、アモルファスシリコンにより構成された感光層を設けた感光体が挙げられる。
なお、電子写真感光体１０の形状には、円筒状に限られず、例えば、シート状、プレート状等、公知の形状が採用される。
【００５３】
−帯電装置−
帯電装置２０としては、例えば、導電性の帯電ロール、帯電ブラシ、帯電フィルム、帯電ゴムブレード、帯電チューブ等を用いた接触型帯電器が挙げられる。また、帯電装置２０としては、例えば、非接触方式のロール帯電器、コロナ放電を利用したスコロトロン帯電器やコロトロン帯電器等のそれ自体公知の帯電器等も挙げられる。帯電装置２０としては、接触型帯電器がよい。
【００５４】
−露光装置−
露光装置３０としては、例えば、電子写真感光体１０表面に、半導体レーザ光、ＬＥＤ光、液晶シャッタ光等の光を、像様に露光する光学系機器等が挙げられる。光源の波長は電子写真感光体１０の分光感度領域にあるものがよい。半導体レーザ光の波長としては、例えば、７８０ｎｍ前後に発振波長を有する近赤外がよい。しかし、この波長に限定されず、６００ｎｍ台の発振波長レーザ光や青色レーザ光として４００ｎｍ以上４５０ｎｍ以下に発振波長を有するレーザ光も利用してもよい。また、露光装置３０としては、例えばカラー画像形成のためにはマルチビーム出力するタイプの面発光型のレーザ光源も有効である。
【００５５】
−現像装置−
現像装置４０は、例えば、トナー及びキャリアからなる２成分現像剤を収容する容器内に、現像領域で電子写真感光体１０に対向して配置された現像ロール４２が備えられた構成が挙げられる。現像装置４０としては、特に制限はなく、周知の構成が採用される。
【００５６】
ここで、現像装置４０に使用される現像剤は、周知の現像剤が適用され、トナーからなる一成分現像剤であってもよいし、トナーとキャリアを含む二成分系現像剤であってもよい。
但し、光照射装置５６により照射する光によりトナー像を加熱するため、トナーとしては光定着用のトナーが適用される。具体的には、赤外線吸収剤を含むトナーが適用される。
【００５７】
−転写装置−
転写装置５０としては、例えば、ベルト、ロール、フィルム、ゴムブレード等を用いた接触型転写帯電器、コロナ放電を利用したスコロトロン転写帯電器やコロトロン転写帯電器等のそれ自体公知の転写帯電器が挙げられる。
【００５８】
−クリーニング装置−
クリーニング装置６０は、筐体６２と、筐体から突出するように配設されるクリーニングブレード６４と、を備える周知の装置が挙げられる。
【００５９】
−光照射装置−
光照射装置５６は、トナー像Ｔの加熱及び転写定着ロール５２の導電性の発現を行うための光照射装置である。具体的には、トナー像の吸収波長域及び電子供与性物質の吸収波長域を含む波長域を有する光を照射する光源を備える光照射装置である。
【００６０】
ここで、光の付与によりトナー像Ｔを加熱するためには、トナーに赤外線吸収剤を含ませる。一方で、転写定着ロール５２に含まれる電子供与性物質としては、赤外線吸収剤の吸収波長域（赤外域）と重複しない紫外域の光の付与（紫外光の吸収）により、透明樹脂との間で光誘起電荷移動が生じる電子供与性物質を適用することがよい。
【００６１】
このため、この組み合わせにおいて、トナー像の加熱及び転写定着ロール５２の導電性の発現を行うための光照射装置５６としては、例えば、この双方の波長域を含む波長の白色光を照射する光源を備える光照射装置が適用される。光照射装置５６としては、例えば、半導体レーザや固体レーザ等の光源を備えるレーザ光照射装置、キセノンランプ等のフラッシュ光照射装置等の周知の装置が適用されるが、レーザ光照射装置がよい。
【００６２】
光照射装置５６によるトナー像及び転写定着ロール５２への光照射は、例えば、転写定着ロール５２と加圧ロール５４との接触部、当該接触部よりも転写定着ロール５２の回転方向上流側、又は当該接触部及び当該接触部よりも転写定着ロール５２の回転方向上流側の双方で行う。具体的には、この光照射は、例えば、トナー像Ｔが転写定着ロール５２と加圧ロール５４との接触部に至る前、当該接触部に至ったとき、又は当該接触部に至る前から至ったときの間に行う。
【００６３】
−加圧ロール−
加圧ロール５４としては、円筒状基体（例えばアルミニウム製、鉄製の基体）の表面に耐熱弾性層（例えばシリコーンゴム、フッ素ゴム等を含む層）を被覆したロール、円筒状基体の表面に離型層（例えばパーテトラフロロエチレン（ＰＴＦＥ）、パーフロロアルコキシ（ＰＦＡ）等を含む層）を被覆したロール、円筒状基体の表面に耐熱弾性層及び離型層を順次被覆したロール等が挙げられる。
【００６４】
以下、本実施形態に係る画像形成装置１０１の動作について説明する。
まず、電子写真感光体１０が矢印Ａで示される方向に沿って回転すると同時に、帯電装置２０により帯電する。
【００６５】
次に、帯電装置２０によって表面が負に帯電した電子写真感光体１０は、露光装置３０により露光され、表面に潜像が形成される。
【００６６】
次に、電子写真感光体１０における潜像の形成された部分が現像装置４０に近づくと、現像装置４０（現像ロール４２）により、潜像にトナーが付着し、トナー像Ｔが形成される。
【００６７】
次に、トナー像が形成された電子写真感光体１０が矢印Ａに方向にさらに回転すると、転写装置５０によりトナー像Ｔは転写定着ロール５２の表面に転写される。
【００６８】
次に、不図示の記録紙供給装置により、転写定着ロール５２と加圧ロール５４との接触部に記録紙Ｐが供給され、当該接触部において、矢印Ｂに方向への回転により転写定着ロール５２の表面に転写されたトナー像Ｔが記録紙Ｐの表面に加圧される。このとき、光照射装置５６により転写定着ロール５２の表面に転写されたトナー像Ｔに光を照射すると、光が転写定着ロール５２を透過し、トナー像Ｔに到達して、トナー像Ｔを加熱する。これにより、トナー像Ｔが記録紙Ｐの表面に転写定着される。
【００６９】
ここで、光照射装置５６により転写定着ロール５２にも光が照射され、光が転写定着ロール５２を透過した上で、転写定着ロール５２内部に含まれる電子供与性物質に到達し、転写定着ロール５２の導電性が発現し、転写装置５０により転写の際に帯びた帯電が除電される。
一方、トナー像Ｔが転写定着ロール５２に転写された後、電子写真感光体１０は、転写後、クリーニング装置６０のクリーニングブレード６４により、表面に残ったトナーや放電生成物が除去される。そして、クリーニング装置６０において、転写残のトナーや放電生成物が除去された電子写真感光体１０は、帯電装置２０により、再び帯電せられ、露光装置３０において露光されて潜像が形成され、次の画像形成プロセスが実行される。
【００７０】
以上説明した本実施形態に係る画像形成装置１０１は、一つの光照射装置５６を備える態様を説明したが、これに限られず、２つの光照射装置を備える態様であってもよい。
【００７１】
以下、この態様を本実施形態に係る画像形成装置１０２として説明する。
図３は、他の本実施形態に係る画像形成装置の概略構成図である。
【００７２】
本実施形態に係る画像形成装置１０２は、図３に示すように、転写定着ロール５２の内側に、第１光照射装置５６Ａ及び第２光照射装置５６Ｂを備える。これら以外は、本実施形態に係る画像形成装置１０１と同様の構成あることから、その説明を省略する。
【００７３】
第１光照射装置５６Ａは、トナー像の加熱を行うための光照射装置である。具体的には、トナー像Ｔの吸収波長域を含む波長域を有する光を照射する光源を備える光照射装置である。ここで、光の付与によりトナー像Ｔを加熱するためには、トナーに赤外線吸収剤を含ませることがよい（つまり、この場合トナー像の吸収波長とは赤外線吸収剤の吸収波長である）。このため、この場合において、トナー像Ｔの加熱を行うための第１光照射装置５６Ａとしては、赤外光を照射する光源を備える光照射装置が挙げられる。
【００７４】
第２光照射装置５６Ｂは、転写定着ロール５２の導電性の発現を行うための光照射装置である。具体的には、電子供与性物質の吸収波長域を含む波長域を有する光を照射する光源を備える光照射装置である。ここで、転写定着ロール５２に含まれる電子供与性物質としては、赤外線吸収剤の吸収波長域（赤外域）と重複しない紫外域の光の付与（紫外光の吸収）により、透明樹脂との間で光誘起電荷移動が生じる電子供与性物質を適用することがよい。このため、この場合において、転写定着ロール５２の導電性の発現を行うための第２光照射装置５６Ｂとしては、紫外光を照射する光源を備える光照射装置が挙げられる。
【００７５】
第１光照射装置５６Ａ及び第２光照射装置５６Ｂとしては、いずれも、半導体レーザや固体レーザ等の光源を備えるレーザ光照射装置、キセノンランプ等のフラッシュ光照射装置等の周知の装置が適用されるが、レーザ光照射装置がよい。
【００７６】
第１光照射装置５６Ａによるトナー像Ｔへの光照射は、例えば、転写定着ロール５２と加圧ロール５４との接触部、当該接触部よりも転写定着ロール５２の回転方向上流側、又は当該接触部及び当該接触部よりも転写定着ロール５２の回転方向上流側の双方で行う。具体的には、この光照射は、例えば、トナー像が転写定着ロール５２と第２回転体との接触部に至る前、当該接触部に至ったとき、又は当該接触部に至る前から至ったときの間に行う。
一方、第２光照射装置５６Ｂによる転写定着ロール５２への光照射は、特に制限はなく、例えば、転写定着ロール５２と加圧ロール５４との接触部であってもよいし、当該接触部よりも転写定着ロール５２の回転方向上流側又は下流側であってもよい。
【００７７】
なお、いずれの本実施形態に係る画像形成装置は、上記構成に限れず、周知の構成、例えば、タンデム方式の画像形成装置を採用してもよい。
【実施例】
【００７８】
以下に、本発明を実施例により具体的に説明するが、本発明はこれらの実施例に何ら限定されるものではない。なお、「部」又は「％」は、特に断りがない限り、「質量部」又は「質量％」を示す。
【００７９】
（実施例１）
電子受容性樹脂としてポリカーボネート樹脂「商品名：タフロン（出光興産社製）」１００部に対して、電子供与性物質としてテトラフェニルポルフィリン１０質量部を混合した樹脂組成物を用いて、射出成型により、外径２５ｍｍ、厚み５ｍｍの中空ロールを作製した。
【００８０】
次に、作製した中空ロールを転写定着ロールとして、評価用画像形成装置（富士ゼロックス社製「ＤｏｃｕＣｏｌｏｒ１２５６ＧＡ」改造機：転写定着ロールを使用した加圧方式の転写定着システムに改造）に装着した。
評価用画像形成装置は、特開２０１１−６９８４６の合成例１を記載にしたがって合成した赤外線吸収剤（ペリミジン系スクアリリウム色素）を含むトナーを適用した現像剤が現像装置に収容されている。
評価用画像形成装置は、光照射装置として、トナー像を加熱するための赤外光（赤外線吸収剤を発熱させるための赤外光）を照射する光源を持つレーザ光照射装置（１）、転写定着ロールに導電性を発現するための紫外光（電子供与性物質の光誘起電荷移動を誘起させるための紫外光）を照射する光源を持つレーザ光照射装置（２）が転写定着ロールの内部に搭載している。搭載する各レーザ照射装置の詳細は表１に示す。なお、レーザ光照射装置（１）及び（２）は、転写定着ロールの表面に転写されたトナー像が、転写定着ロールと加圧ロールとの接触部に至る直前に各々トナー像及び転写定着ロールに光を照射するように搭載されている。
【００８１】
そして、評価用画像形成装置を用いて、転写定着ロールの回転数８００ｒｐｍの条件で、トナー像を用紙に転写定着し、画像を出力するのを繰り返し行い、１００時間経過後、画像の出力を停止し、装置から転写定着ロールを取り出した。そして、取り出した転写定着ロールの表面の表面帯電電位を測定した。結果を表１に示す。
【００８２】
なお、表面帯電電位は、表面電位計（トレックジャパン製ＭＯＤＥＬ３４１Ｂ）にてロール中央部の３点を測定し、その平均値とした。
【００８３】
（実施例２〜８、比較例１〜２）
表１に従って、電子受容性樹脂の種類及び量、電子供与性物質の種類及び量、並びに、搭載するレーザ光照射装置の種類を変更した以外は、実施例１と同様にして、中空ロールを作製し、これを転写定着ロールとして評価した。結果を表１に示す。
【００８４】
【表１】
2014222326.tif 000003
【００８５】
上記結果から、本実施例では、比較例に比べ、転写定着ロールの表面帯電電位の上昇が抑えられていることがわかる。
なお、比較例２〜６、８〜１２で示すように、転写定着ロールに導電性を発現するための紫外光を照射しなかったり、あるいは比較例１、２、７、８で示すように電子供与性物質を入れていなかったりした場合、転写定着ロールの導電性が発現せず、表面帯電電位が上昇していることがわかる。
【００８６】
以下、表１に示した略称等の詳細について示す。
−電子受容性樹脂−
・ＰＣ：  ポリカーボネート樹脂「商品名：タフロン（出光興産社製）」
・ＰＥＩ：ポリエーテルイミド樹脂「商品名ＵＬＴＥＭ（ＳＡＢＩＣイノベーションプラスチック社製）」
【００８７】
−電子供与性物質−
・顔料１：テトラフェニルポルフィリン（ＴＰＰ）
・顔料２：銅フタロシアニン
【００８８】
−レーザ光照射装置−
・レーザ照射装置（１）：  「商品名：９００１−８０−８０８（コヒーレント製）」、照射光の波長８０８ｎｍ、光出力８０Ｗ
・レーザ照射装置（２）：  「商品名：Ｓａｐｐｈｉｒｅ４８８ＦＰ（コヒーレント製）」、照射光の波長４８８ｎｍ以上、光出力８０ｍＷ
【符号の説明】
【００８９】
１１   透明管状体
１０   電子写真感光体
２０   帯電装置
３０   露光装置
４０   現像装置
４２   現像ロール
５０   転写装置
５２   転写定着ロール
５４   加圧ロール
５６   光照射装置
５６Ａ 第１光照射装置
５６Ｂ 第２光照射装置
６０   クリーニング装置
６２   筐体
６４   クリーニングブレード
１０１ 画像形成装置
１０２ 画像形成装置
【図１】
2014222326.tif 000004
【図２】
2014222326.tif 000005
【図３】
2014222326.tif 000006